(57)【要約】３Ｄビデオおよび補完的な３Ｄコンテンツのコンテンツプレゼンテーションのための方法であって、上記３Ｄビデオは、左側ビューおよび右側ビューを有し、上記補完的な３Ｄコンテンツは、左側ビューおよび右側ビューを有する、方法が提供される。上記補完的な３Ｄコンテンツは、上記３Ｄビデオの少なくとも一部と時間的に関連付けられ、上記方法は、上記３Ｄビデオの上記一部の上記左側ビューおよび上記右側ビューと上記補完的な３Ｄコンテンツの上記左側ビューおよび上記右側ビューとを時間的に多重化して、多重化データを作成する、多重化するステップと、上記多重化データを偏光して、偏光データを作るステップと、上記偏光データを提示するステップと、を含む。
2016506676.tif 000002
【特許請求の範囲】
【請求項１】
３Ｄビデオおよび補完的な３Ｄコンテンツのコンテンツプレゼンテーションのための方法であって、
前記３Ｄビデオは、左側ビューおよび右側ビューを有し、前記補完的な３Ｄコンテンツは、左側ビューおよび右側ビューを有し、前記補完的な３Ｄコンテンツは、前記３Ｄビデオの少なくとも一部と時間的に関連付けられ、前記方法は、
前記３Ｄビデオの前記一部の前記左側ビューおよび前記右側ビューと前記補完的な３Ｄコンテンツの前記左側ビューおよび前記右側ビューとを時間的に多重化して、多重化データを作成する、多重化するステップと、
前記多重化データを偏光して、偏光データを作成するステップと、
前記偏光データを提示するステップと、
を含む、前記方法。
【請求項２】
前記多重化するステップは、
前記３Ｄビデオの前記一部の前記左側ビューおよび前記補完的な３Ｄコンテンツの前記左側ビューを多重化して、左側ビューについての多重化データを作成するステップと、
前記３Ｄビデオの前記一部の前記右側ビューおよび前記補完的な３Ｄコンテンツの前記右側ビューを多重化して、右側ビューについての多重化データを作成するステップと、
をさらに含む、請求項１に記載の方法。
【請求項３】
左側ビューおよび右側ビューを有すると共に、前記３Ｄビデオの前記一部と時間的に関連付けられた第２の補完的な３Ｄコンテンツをさらに備え、前記多重化するステップは、
前記３Ｄビデオの前記一部の前記左側ビューと、前記補完的な３Ｄコンテンツの前記左側ビューと、前記第２の補完的な３Ｄコンテンツの前記左側ビューとを多重化して、左側ビューについての多重化データを作成するステップと、
前記３Ｄビデオの前記一部の前記右側ビューと、前記補完的な３Ｄコンテンツの前記右側ビューと、前記第２の補完的な３Ｄコンテンツの前記右側ビューとを多重化して、右側ビューについての多重化データを作成するステップと、
をさらに含む、請求項１または２に記載の方法。
【請求項４】
前記多重化するステップは、
前記３Ｄビデオの前記一部の前記左側ビューおよび前記３Ｄビデオの前記一部の前記右側ビューを多重化して、前記３Ｄビデオについての多重化データを作成するステップと、
前記補完的な３Ｄコンテンツの前記左側ビューおよび前記補完的な３Ｄコンテンツの前記右側ビューを多重化して、前記補完的な３Ｄコンテンツについての多重化データを作成するステップと、
をさらに含む、請求項１に記載の方法。
【請求項５】
前記補完的な３Ｄコンテンツは、全部の３Ｄビデオと時間的に関連付けられている、請求項１から４のいずれかに記載の方法。
【請求項６】
３Ｄビデオおよび補完的な３Ｄコンテンツを有するコンテンツを鑑賞するための方法であって、前記３Ｄビデオは、左側ビューおよび右側ビューを有し、前記補完的な３Ｄコンテンツは、左側ビューおよび右側ビューを有し、前記補完的な３Ｄコンテンツは、前記３Ｄビデオの少なくとも一部に時間的に関連付けられ、前記３Ｄビデオの前記左側ビューおよび前記右側ビューと前記補完的な３Ｄコンテンツの前記右側ビューとは、時間的に多重化され、偏光されて、前記ディスプレイ上に提示される偏光データが作成され、前記方法は、
前記偏光データに偏光を実行して、多重化データを作成するステップであって、前記多重化データは、前記３Ｄビデオの前記左側ビューおよび前記右側と前記補完的な３Ｄコンテンツの前記左側ビューおよび前記右側とを搬送するタイムスロットを含む、ステップと、
前記多重化データ上のタイムスロットに同期化するステップであって、前記タイムスロットは視聴者が見ることを望む前記３Ｄビデオおよび前記補完的な３Ｄコンテンツの中のコンテンツと対応する、ステップと
を含む、前記方法。
【請求項７】
３Ｄビデオおよび補完的な３Ｄコンテンツのコンテンツプレゼンテーションのための装置であって、前記３Ｄビデオは、左側ビューおよび右側ビューを有し、前記補完的な３Ｄコンテンツは、左側ビューおよび右側ビューを有し、前記補完的な３Ｄコンテンツは、前記３Ｄビデオの少なくとも一部に時間的に関連付けられており、
前記３Ｄビデオの前記一部の前記左側ビューおよび前記右側ビューと前記補完的な３Ｄコンテンツの前記左側ビューおよび前記右側ビューとを時間的に多重化して、多重化データを作成するためのマルチプレクサモジュールと、
前記多重化データを偏光して偏光データを作成するための偏光モジュールと、
前記偏光データを提示するためのスクリーンと、
を備える、前記装置。
【請求項８】
前記マルチプレクサモジュールは、前記３Ｄビデオの前記一部の前記左側ビューおよび前記補完的な３Ｄコンテンツの前記左側ビューを多重化して、左側ビューについての多重化データを作成し、前記３Ｄビデオの前記一部の前記右側ビューおよび前記補完的な３Ｄコンテンツの前記右側ビューを多重化して、右側ビューについての多重化データを作成するようさらに構成されている、請求項７に記載の装置。
【請求項９】
前記マルチプレクサモジュールは、前記３Ｄビデオの前記一部の前記左側ビューおよび前記３Ｄビデオの前記一部の前記右側ビューを多重化して、前記３Ｄビデオについての多重化データを作成し、前記補完的な３Ｄコンテンツの前記左側ビューおよび前記補完的な３Ｄコンテンツの前記右側ビューを多重化して、前記補完的な３Ｄコンテンツについての多重化データを作成するようさらに構成されている、請求項７に記載の装置。
【請求項１０】
３Ｄビデオおよび補完的な３Ｄコンテンツを有するコンテンツを鑑賞するための装置であって、前記３Ｄビデオは、左側ビューおよび右側ビューを有し、前記補完的な３Ｄコンテンツは、左側ビューおよび右側ビューを有し、前記補完的な３Ｄコンテンツは、前記３Ｄビデオの少なくとも一部と時間的に関連付けられており、前記３Ｄビデオの前記左側ビューおよび前記右側ビューと前記補完的な３Ｄコンテンツの前記右側ビューとは、時間的に多重化され、偏光されて、前記ディスプレイ上に提示される偏光データが作成され、前記装置は、
前記偏光データに偏光を実行して、多重化データを作成するための偏光フィルタであって、前記多重化データは、前記３Ｄビデオの前記左側ビューおよび前記右側と前記補完的な３Ｄコンテンツの前記左側ビューおよび前記右側を搬送するタイムスロットを有する、前記偏光フィルタと、
前記多重化データのタイムスロットに同期するシャッタであって、前記タイムスロットは、視聴者が見ることを望む前記３Ｄビデオおよび前記補完的な３Ｄコンテンツの中のコンテンツに対応する、前記シャッタと、
を備える、前記装置。
【発明の詳細な説明】
【技術分野】
【０００１】
本発明はデータプレゼンテーションに関し、さらに詳細にはコンテンツプレゼンテーションのための方法および装置に関する。
【背景技術】
【０００２】
映画、特に外国語映画に字幕を提供することがよく知られている。しかしながら、いくらかの人々は字幕があるのを好むが、いくらかのその他の人々は字幕が視聴体験に影響を及ぼすと考え、したがって、それらを望まない。また、時々、異なる国出身の人々が、映画を一緒に鑑賞する間、彼らの母国語の字幕を見たいと思う可能性がある。
【０００３】
US2010/0177172A Heinrich Shih Ko, etc.は、立体的なスクリーン共有方法および装置を提供する。それらは、同じディスプレイを使用している２人以上の視聴者が、ディスプレイ上に異なるイメージをそれぞれ提供され得る、「スクリーン共有」システムを提示している。ディスプレイは、少なくとも２つのビデオソースからのイメージを交互に提示し、同期され、シャッタが付されたフィルタデバイス（例えばシャッタメガネ（shutter glasses:シャッタグラス））は、２つのビデオソースの中の所望のビデオソースからのイメージの鑑賞を許可するだけに使用される。この発明は、２Ｄビデオおよび３Ｄビデオ（立体的なビデオ）の両方に適用可能である。この発明は時間分割技術を使用するので、ビデオソースの数が増大するにつれ、フリッカが目立つようになるだろう。
【０００４】
それゆえ、視聴者に対するフリッカを引き起こすことなしに、いくらかのビデオソースを追加することが望まれる。
【発明の概要】
【０００５】
本発明の一側面によれば、３Ｄビデオおよび補完的な３Ｄコンテンツのコンテンツプレゼンテーションのための方法が提供され、上記３Ｄビデオは左側ビューおよび右側ビューを有し、上記補完的な３Ｄコンテンツは左側ビューおよび右側ビューを有する。上記補完的な３Ｄコンテンツは、上記３Ｄビデオの少なくとも一部に時間的に関連付けられ、上記方法は、上記３Ｄビデオの上記一部の上記左側ビューおよび上記右側ビューと上記補完的な３Ｄコンテンツの上記左側ビューおよび上記右側ビューとを時間に多重化して、多重化データを作成するステップと、上記多重化データを偏光（ｐｏｌａｒｉｚｅ）して偏光データを作成するステップと、上記偏光データを提示するステップと、を含んでいる。
【０００６】
本発明の他の側面によれば、３Ｄビデオおよび補完的な３Ｄコンテンツを有するコンテンツの鑑賞のための方法が提供され、上記３Ｄビデオは、左側ビューおよび右側ビューを有し、上記補完的な３Ｄコンテンツは、左側ビューおよび右側ビューを有する。上記補完的な３Ｄコンテンツは、上記３Ｄビデオの少なくとも一部に時間的に関連付けられ、上記３Ｄビデオの上記左側ビューおよび上記右側ビューと上記補完的な３Ｄコンテンツの上記右側ビューとは、時間的に多重化され、偏光されて、上記ディスプレイ上に提示される偏光データが作成され、上記方法は、上記偏光データに偏光を実行して、多重化データを作成するステップであって、上記多重化データは、上記３Ｄビデオの上記左側ビューおよび上記右側と、上記補完的な３Ｄコンテンツの上記左側ビューおよび上記右側とを搬送する（convey）タイムスロットを有する、ステップと、上記多重化データ上のタイムスロットに同期化するステップであって、上記タイムスロットは、視聴者が見ることを望む上記３Ｄビデオおよび上記補完的な３Ｄコンテンツの中のコンテンツに対応する、ステップと、を含んでいる。
【０００７】
本発明の他の側面によれば、３Ｄビデオおよび補完的な３Ｄコンテンツのコンテンツプレゼンテーションのための装置が提供され、上記３Ｄビデオは、左側ビューおよび右側ビューを有し、上記補完的な３Ｄコンテンツは、左側ビューおよび右側ビューを有する。上記補完的な３Ｄコンテンツは、上記３Ｄビデオの少なくとも一部に時間的に関連付けられ、上記装置は、上記３Ｄビデオの上記一部の上記左側ビューおよび上記右側ビューと上記補完的な３Ｄコンテンツの上記左側ビューおよび上記右側ビューとを時間的に多重化して、多重化データを作成するための多重化モジュールと、上記多重化データを偏光して、偏光データを作成するための偏光モジュールと、上記偏光データを提示するためのスクリーンと、を備えている。
【０００８】
本発明の他の側面によれば、３Ｄビデオおよび補完的な３Ｄコンテンツを有するコンテンツの鑑賞のための装置が提供され、上記３Ｄビデオは、左側ビューおよび右側ビューを有し、上記補完的な３Ｄコンテンツは、左側ビューおよび右側ビューを有する。上記補完的な３Ｄコンテンツは、上記３Ｄビデオの少なくとも一部に時間的に関連付けられ、上記３Ｄビデオの上記左側ビューおよび上記右側ビューと上記補完的な３Ｄコンテンツの上記右側ビューとは、時間的に多重化され、偏光されて上記ディスプレイ上に提示される偏光データが作成され、上記装置は、多重化データを作成するために上記偏光データに偏光を実行するための偏光フィルタであって、上記多重化データは、上記３Ｄビデオの上記左側ビューおよび上記右側と上記補完的な３Ｄコンテンツの上記左側ビューおよび上記右側とを搬送する（convey）タイムスロットを有する、偏光フィルタと、上記多重化データ上のタイムスロットに同期するためのシャッタと、を備え、上記タイムスロットは、視聴者が見ることを望む上記３Ｄビデオおよび上記補完的な３Ｄコンテンツの中のコンテンツに対応する。
【０００９】
本発明の更なる側面および利点は、本発明の以下の記述において明らかになるだろう。
【００１０】
付随する図面は、本発明の更なる理解を提供することを含み、本発明の原理を説明するための記述と共に本発明の実施形態を図示する。それゆえ、本発明は、本実施形態に限定されない。
【図面の簡単な説明】
【００１１】
【図１】本発明の実施形態に従ったプレゼンテーション装置を示すブロック図である。
【図２】本発明の実施形態に従ったシャッタメガネを示すブロック図である。
【図３】本発明の実施形態に従ったコンテンツを提示するための方法を示すフローチャートである。
【図４】本発明の実施形態に従った偏光された左側ビューおよび偏光された右側ビューを示す図である。
【図５】本発明の実施形態に従ったコンテンツを鑑賞するための方法を示すフローチャートである。
【図６ａ】本発明の実施形態に従った多重化された左側ビューおよび多重化された右側ビューを示す図である。
【図６ｂ】視聴者が、本発明の実施形態に従ったビデオも字幕も鑑賞する例を示す図である。
【図６ｃ】他の視聴者が、本発明の実施形態に従ったビデオだけを鑑賞する例を示す図である。
【図７】本発明の実施形態に従った他のプレゼンテーション装置を示すブロック図である。
【図８】本発明の実施形態に従った他のシャッタメガネを示すブロック図である。
【図９ａ】本発明の実施形態に従った、３Ｄビデオに関する左側ビューおよび右側ビューの多重化データ（ｍｕｌｔｉｐｌｅｘｅｄ＿Ｌ）と、３Ｄ字幕に関する左側ビューおよび右側ビューの多重化データ（ｍｕｌｔｉｐｌｅｘｅｄ＿Ｒ）とを示す図である。
【図９ｂ】本発明の実施形態に従った多重化データに基づく偏光データを示す図である。
【図１０ａ】視聴者が、本発明の実施形態に従ったビデオおよび字幕を視聴する例を示す図である。
【図１０ｂ】視聴者が、本発明の実施形態に従った字幕なしのビデオを鑑賞する例を示す図である。
【発明を実施するための形態】
【００１２】
ここで本発明の実施形態が図面とあわせて詳細に説明される。以下の説明において、既知の機能および構成の詳細な説明は、明瞭性および簡潔さのために省略されるだろう。
【００１３】
本発明の原理によれば、時間分割技術（時間フィルタリング）および偏光技術（偏光フィルタリング）が同時に使用され、例えばビデオソースなどのビジュアルソースまたはテキストソース（例えば字幕）のより多くのピースが、視聴者が選択するために単一のディスプレイ上に提示される。
【００１４】
本発明の実施形態によれば、本発明の原理は３Ｄ環境において実装され、ここで３Ｄ字幕は３Ｄビデオのプレゼンテーション中に提供され、および視聴者は一組のシャッタメガネを装着することによって視聴者の要求に基づいて３Ｄ字幕または３Ｄ字幕なしを選択することが許容される。当業者は、視聴者によってなされた字幕の選択が、他の視聴者の字幕の選択に影響しないことを知るだろう。言い換えると、字幕選択は視聴者に対して独立している。実施形態において、偏光フィルタリングは、左側ビューおよび右側ビューを異ならせるために使用され、時間フィルタリングは字幕選択のために使用される。上記環境についていえば、全てのコンテンツは、３Ｄビデオの左側ビューおよび右側ビューと、字幕の左側ビューおよび右側ビューと、それらの同期情報とを含んでいる。３Ｄビデオおよび３Ｄ字幕についての同期情報は、３Ｄビデオの左側ビューと、３Ｄビデオの右側ビューと、３Ｄ字幕の左側ビューと、３Ｄ字幕の右側ビューとの間の同期関係を示す。  
図１は、本発明の実施形態に従ったプレゼンテーション装置を示すブロック図であり、図２は、本発明の実施形態に従ったシャッタメガネを示すブロック図である。
【００１５】
図１に示されるように、プレゼンテーション装置は、２つのマルチプレクサと、２つの偏光モジュールと、コントローラと、ディスプレイスクリーンと、を備えている。
【００１６】
マルチプレクサは、３Ｄビデオおよび３Ｄ字幕についての同期情報に基づくように使用されて、３Ｄビデオの左側ビューおよび３Ｄ字幕の左側ビューを左側ビューについてのストリームｍｕｌｔｉｐｌｅｘｅｄ＿Ｌに結合し、３Ｄビデオの右側ビューおよび３Ｄ字幕の右側ビューを右側ビューについてのストリームｍｕｌｔｉｐｌｅｘｅｄ＿Ｒに結合する。
【００１７】
偏光モジュールは、マルチプレクサから出力されたストリームを水平又は垂直に偏光するように使用される。例示において、左側ビューについてのストリームは水平に偏光されて、左側ビューについての偏光データｐｏｌａｒｉｚｅｄ＿Ｌを作成し、および右側ビューについてのストリームは垂直に偏光されて、右側ビューについての偏光データｐｏｌａｒｉｚｅｄ＿Ｒを作成する。水平偏光および垂直偏光がこの例において使用されるが、時計回りおよび反時計回りの偏光などの他の垂直偏光もまた使用することができることに注意されたい。
【００１８】
コントローラは、３Ｄビデオおよび３Ｄ字幕についての同期情報に基づいてマルチプレクサについての制御情報を生成するように使用される。どのタイムスロットがどのコンテンツのどのビューについて使用されるかを示す制御情報がマルチプレクサによって使用されて、３Ｄビデオの左側ビューおよび３Ｄ字幕の左側ビューと３Ｄビデオの右側ビューおよび３Ｄ字幕の右側ビューとを多重化する。加えて、制御情報は、無線（例えば赤外信号で）または有線のいずれかでシャッタメガネに転送される。制御情報は、所望のコンテンツに同期するためにシャッタメガネによって使用される。
【００１９】
ディスプレイスクリーンが偏光モジュールからの偏光データを提示するために使用される。
【００２０】
図１に示される例においては、それは２つのマルチプレクサおよび２つの偏光モジュールを有しているが、本実施形態の変形例では、１つのマルチプレクサおよび１つの偏光モジュールを有していてもよい。
【００２１】
図２において示すように、シャッタメガネは偏光フィルタおよびシャッタを有している。図１に示すように、シャッタメガネを装着した視聴者がスクリーンを見ているとき、左側ビューおよび右側ビューについての偏光データ（ｐｏｌａｒｉｚｅｄ＿Ｌおよびｐｏｌａｒｉｚｅｄ＿Ｒ）はシャッタメガネに到達し得る。それぞれのビューは、ビデオおよび字幕の多重化データを有する。
【００２２】
偏光フィルタは、受信したストリームを垂直に偏光することにより、左側ビューについてのストリームおよび右側ビューについてのストリームを異ならせるために使用され、左側ビューおよび右側ビューについてフィルタされたストリーム、すなわち左側ビューについての多重化データおよび右側ビューについての多重化データを作成する。この例では、多重化された左側ビューは水平偏光で得られ、多重化された右側ビューは垂直偏光で得られる。
【００２３】
シャッタは、制御情報および切替信号に基づいて所望のコンテンツを同期するために使用される。切替信号は、どのコンテンツを視聴者が見ることを望むかを示すために使用される。これは、シャッタメガネにボタンを追加するかまたは他のデバイス（例えば、コンピュータ、遠隔コントローラなど）から有線又は無線接続を介して切替信号を受信することによって実装することができる。制御情報は、所望のコンテンツに対応する所望のタイムスロットにそれ自体同期させるためにシャッタによって使用される。この例において、視聴者にとって所望のコンテンツは、３Ｄビデオの左側ビューおよび右側ビューと３Ｄ字幕の左側ビューおよび右側ビューとを含み、一方で、他方の視聴者にとって所望のコンテンツは３Ｄビデオの左側ビューおよび右側ビューのみを含んでいる。
【００２４】
本実施形態において、ストリームは時間的な態様で発生したフレームのシーケンスである。しかし、ある時点では、左側ビデオフレーム、右側ビデオフレーム、左側字幕、および右側字幕は、プレゼンテーション装置において、多重化され、偏光されると考えることができる。また対応して、偏光されたフレームが、シャッタメガネにおいて、左側多重化フレームと右側多重化フレームとを異ならせるために偏光される。
【００２５】
図３は、本発明の実施形態に従ったコンテンツを提示する方法を示すフローチャートである。
【００２６】
ステップ３０１において、プレゼンテーション装置は、３Ｄビデオの左側ビューと、３Ｄビデオの右側ビューと、３Ｄ字幕の左側ビューと、３Ｄ字幕の右側ビューとを、３Ｄビデオおよび３Ｄ字幕についての同期情報に基づいて多重化する。図４ａは、多重化処理の前の、３Ｄビデオおよび３Ｄ字幕についての左側ビューおよび右側ビューを示す図である。この図において、１つのビューについてたった２つのフレームが示されており、および任意のビューからの任意のフレームが同じ時間長継続する。ここで、１フレームの持続時間をＴと推定する。図４ｂは、多重化の後の、多重化された左側ビューおよび多重化された右側ビューを示す図である。例として、多重化された左側ビューを挙げると、ｍｕｌｔｉｐｌｅｘｅｄ＿Ｌストリームは、３Ｄビデオの左側ビューフレーム、３Ｄ字幕の左側ビューフレーム、３Ｄビデオの左側ビューフレーム、および３Ｄ字幕の左側ビューフレームのシーケンスを含む。すなわち、３Ｄビデオの左側ビューフレームおよび３Ｄ字幕の左側ビューフレームが交互に、多重化された左側ビューストリームを満たす。しかしながら、多重化された左側ビューにおける各フレームの持続時間は、もとの持続時間の半分よりも短い。３Ｄ字幕の数が増加するにつれ、持続時間は線形に短縮されるであろうことに注意されたい。例えば、ｎ個の３Ｄ字幕について、各左側（または右側）フレームの持続時間はＴ／（ｎ＋１）と等しい。
【００２７】
ステップ３０２において、プレゼンテーション装置は、多重化された左側ビューおよび多重化された右側ビューを偏光して、偏光された左側ビューおよび偏光された右側ビューを作成する。図４は、偏光された左側ビューおよび偏光された右側ビューを示す図である。
【００２８】
図５は、本発明の実施形態に従ったコンテンツを鑑賞するための方法を示すフローチャートである。
【００２９】
ステップ５０１において、シャッタメガネは、プレゼンテーション装置によって提示されたコンテンツにおける偏光を実行し、３Ｄビデオおよび３Ｄ字幕についての多重化された左側ビューと、３Ｄビデオおよび３Ｄ字幕についての多重化された右側ビューとを作成する。図６ａは、本実施形態に従った多重化された左側ビューおよび多重化された右側ビューを示す図である。
【００３０】
ステップ５０２において、シャッタメガネは、制御情報および切替信号に基づいて、所望のコンテンツに同期される。ここで、制御情報および切替信号は、同期のための制御信号を生成するために使用される。図６ｂは、視聴者がビデオも字幕も鑑賞する例を示す図である。図６ｃは、他の視聴者がビデオだけを鑑賞する例を示す図である。
【００３１】
上記の実施形態は１つの３Ｄ字幕に関して記述されているが、本発明の原理は２つ以上の３Ｄ字幕についても適用できることに注意されたい。
【００３２】
変形実施形態によれば、コンテンツはビデオおよび字幕に限定されない。他のコンテンツについて使用することができる。例えば、２以上の３Ｄビデオのプレゼンテーション、３Ｄビデオのプレゼンテーション、ビデオコメント、役者の情報、広告などである。
【００３３】
変形実施形態によれば、本発明の原理は、３Ｄビデオの一部または３Ｄビデオの全体以外の３Ｄビデオの間欠的ないくらかの部分に適用される。
【００３４】
本発明の他の実施形態によれば、図７は、他のプレゼンテーション装置を示すブロック図であり、図８は、他のシャッタメガネを示すブロック図である。
【００３５】
図１および図２と比較して図７および図８の差異は、それらが、３Ｄビデオの左側ビューおよび右側ビューが多重化され、および３Ｄ字幕の左側ビューおよび右側が多重化されるということである。
【００３６】
図９ａは、３Ｄビデオについての左側ビューおよび右側ビューの多重化データ（ｍｕｌｔｉｐｌｅｘｅｄ＿Ｌ）および３Ｄ字幕についての左側ビューおよび右側ビューの多重化データ（ｍｕｌｔｉｐｌｅｘｅｄ＿Ｒ）を示す図である。図９ｂは、多重化データに基づく偏光データを示す図である。図１０ａは、視聴者がビデオおよび字幕を鑑賞する例を示す図である。図１０ｂは、視聴者が字幕なしのビデオを鑑賞する例を示す図である。
【００３７】
多くの実装が記述された。にもかかわらず、様々な修正がなされてもよいことを理解されたい。例えば、異なる実装の要素が、他の実装を創作するために、組み合わされ、補充され、修正され、または除去されてもよい。追加的に、当業者は、開示された構成およびプロセスは、他の構成およびプロセスに代替可能であり、結果として生じる実装は、開示された実装と、少なくとも実質的に同じ方法で、少なくとも実質的に同じ機能を実行して、少なくとも実質的に同じ結果を達成することを理解するだろう。したがって、これらの他の実装は、本発明の範囲内に入る。
【図１】
2016506676.tif 000003
【図２】
2016506676.tif 000004
【図３】
2016506676.tif 000005
【図４ａ】
2016506676.tif 000006
【図４ｂ】
2016506676.tif 000007
【図４ｃ】
2016506676.tif 000008
【図５】
2016506676.tif 000009
【図６ａ】
2016506676.tif 000010
【図６ｂ】
2016506676.tif 000011
【図６ｃ】
2016506676.tif 000012
【図７】
2016506676.tif 000013
【図８】
2016506676.tif 000014
【図９ａ】
2016506676.tif 000015
【図９ｂ】
2016506676.tif 000016
【図１０ａ】
2016506676.tif 000017
【図１０ｂ】
2016506676.tif 000018
【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
３Ｄビデオおよび補完的な３Ｄコンテンツのコンテンツ提示のための方法であって、
前記３Ｄビデオは、左側ビューおよび右側ビューを有し、前記補完的な３Ｄコンテンツは、左側ビューおよび右側ビューを有し、前記補完的な３Ｄコンテンツは、前記３Ｄビデオの少なくとも一部と時間的に関連付けられ、前記方法は、
時間的に多重化するステップであって、前記３Ｄビデオの前記一部の前記左側ビューおよび前記補完的な３Ｄコンテンツの前記左側ビューを時間的に多重化して、左側ビューについての多重化データを作成し、前記３Ｄビデオの前記一部の前記右側ビューおよび前記補完的な３Ｄコンテンツの前記右側ビューを時間的に多重化して、右側ビューについての多重化データを作成する、前記時間的に多重化するステップと、
左側ビューについての前記多重化データおよび右側ビューについての前記多重化データを偏光して、偏光データを作成するステップと、
前記偏光データを提示するステップと、
を含む、前記方法。
【請求項２】
左側ビューおよび右側ビューを含み、前記３Ｄビデオの前記一部と時間的に関連付けられた第２の補完的な３Ｄコンテンツをさらに備え、
前記時間的に多重化するステップは、
前記３Ｄビデオの前記一部の前記左側ビューと、前記補完的な３Ｄコンテンツの前記左側ビューと、前記第２の補完的な３Ｄコンテンツの前記左側ビューとを時間的に多重化して、左側ビューについての多重化データを作成するステップと、
前記３Ｄビデオの前記一部の前記右側ビューと、前記補完的な３Ｄコンテンツの前記右側ビューと、前記第２の補完的な３Ｄコンテンツの前記右側ビューとを時間的に多重化して、右側ビューについての多重化データを作成するステップと、
をさらに含む、請求項１に記載の方法。
【請求項３】
前記時間的に多重化するステップは、さらに、
前記３Ｄビデオの前記一部の前記左側ビュー、前記補完的な３Ｄコンテンツの前記左側ビュー、前記３Ｄビデオの前記一部の前記右側ビュー、および前記補完的な３Ｄコンテンツの前記右側ビューの各フレームの持続時間を、前記フレームの元の持続時間の半分まで短くするステップを含む、請求項１に記載の方法。
【請求項４】
３Ｄビデオおよび補完的な３Ｄコンテンツのコンテンツ提示のための方法であって、
前記３Ｄビデオは、左側ビューおよび右側ビューを有し、前記補完的な３Ｄコンテンツは、左側ビューおよび右側ビューを有し、前記補完的な３Ｄコンテンツは、前記３Ｄビデオの少なくとも一部と時間的に関連付けられ、前記方法は、
時間的に多重化するステップであって、前記３Ｄビデオの前記一部の前記左側ビューおよび前記３Ｄビデオの前記一部の前記右側ビューを時間的に多重化して、前記３Ｄビデオについての多重化データを作成し、前記補完的な３Ｄコンテンツの前記左側ビューおよび前記補完的な３Ｄコンテンツの前記右側ビューを時間的に多重化して、前記補完的な３Ｄコンテンツについての多重化データを作成する、前記多重化するステップと、
前記３Ｄビデオについての前記多重化されたデータおよび前記補完的な３Ｄコンテンツについての前記多重化されたデータを偏光して偏光データを作成するステップと、
前記偏光データを提示するステップと、
を含む、前記方法。
【請求項５】
３Ｄビデオおよび補完的な３Ｄコンテンツを有するコンテンツを鑑賞するための方法であって、前記３Ｄビデオは、左側ビューおよび右側ビューを有し、前記補完的な３Ｄコンテンツは、左側ビューおよび右側ビューを有し、前記補完的な３Ｄコンテンツは、前記３Ｄビデオの少なくとも一部に時間的に関連付けられ、前記３Ｄビデオの前記左側ビューおよび前記右側ビューと前記補完的な３Ｄコンテンツの前記右側ビューとは、時間的に多重化され、偏光されて、ディスプレイ上に提示される偏光データが作成され、前記方法は、
前記偏光データに偏光を実行して、多重化データを作成するステップであって、前記多重化データは、前記３Ｄビデオの前記左側ビューおよび前記右側ビューと前記補完的な３Ｄコンテンツの前記左側ビューおよび前記右側ビューとを搬送するタイムスロットを含む、ステップと、
前記多重化データ上のタイムスロットに同期化するステップであって、前記タイムスロットは視聴者が見ることを望む前記３Ｄビデオおよび前記補完的な３Ｄコンテンツの中のコンテンツと対応する、ステップと
を含む、前記方法。
【請求項６】
３Ｄビデオおよび補完的な３Ｄコンテンツのコンテンツ提示のための装置であって、前記３Ｄビデオは、左側ビューおよび右側ビューを有し、前記補完的な３Ｄコンテンツは、左側ビューおよび右側ビューを有し、前記補完的な３Ｄコンテンツは、前記３Ｄビデオの少なくとも一部に時間的に関連付けられており、
前記３Ｄビデオの前記一部の前記左側ビューおよび前記補完的な３Ｄコンテンツの前記左側ビューを時間的に多重化して、左側ビューについての多重化データを作成し、前記３Ｄビデオの前記一部の前記右側ビューおよび前記補完的な３Ｄコンテンツの前記右側ビューを時間的に多重化して、右側ビューについての多重化データを作成するためのマルチプレクサモジュールと、
左側ビューについての前記多重化データおよび右側ビューについての前記多重化データを偏光して偏光データを作成するための偏光モジュールと、
前記偏光データを提示するためのスクリーンと、
を備える、前記装置。
【請求項７】
左側ビューおよび右側ビューを含み、前記３Ｄビデオの前記一部と時間的に関連付けられた第２の補完的な３Ｄコンテンツをさらに含み、
マルチプレクサモジュールは、前記３Ｄビデオの前記一部の前記左側ビューと、前記補完的な３Ｄコンテンツの前記左側ビューと、前記第２の補完的な３Ｄコンテンツの前記左側ビューとを時間的に多重化して、左側ビューについての多重化されたデータを作成し、
前記３Ｄビデオの前記一部の前記右側ビューと、前記補完的な３Ｄコンテンツの前記右側ビューと、前記第２の補完的な３Ｄコンテンツの前記右側ビューとを時間的に多重化して、右側ビューについての多重化データを作成するよう構成されている、請求項６に記載の装置。
【請求項８】
マルチプレクサモジュールはさらに、
前記３Ｄビデオの前記一部の前記左側ビュー、前記補完的な３Ｄコンテンツの前記左側ビュー、前記３Ｄビデオの前記一部の前記右側ビュー、および前記補完的な３Ｄコンテンツの前記右側ビューの各フレームの持続時間を、前記フレームの元の持続時間の半分まで短くするよう構成されている、請求項６に記載の装置。
【請求項９】
３Ｄビデオおよび補完的な３Ｄコンテンツのコンテンツプレゼンテーションのための装置であって、前記３Ｄビデオは、左側ビューおよび右側ビューを有し、前記補完的な３Ｄコンテンツは、左側ビューおよび右側ビューを有し、前記補完的な３Ｄコンテンツは、前記３Ｄビデオの少なくとも一部に時間的に関連付けられており、
前記３Ｄビデオの前記一部の前記左側ビューおよび前記３Ｄビデオの前記一部の前記右側ビューを時間的に多重化して、前記３Ｄビデオについての多重化データを作成し、前記補完的な３Ｄコンテンツの前記左側ビューおよび前記補完的な３Ｄコンテンツの前記右側ビューを時間的に多重化して、前記補完的な３Ｄコンテンツについての多重化データを作成するためのマルチプレクサモジュールと、
前記３Ｄビデオについての前記多重化データおよび前記補完的な３Ｄコンテンツについての前記多重化データを偏光して偏光データを作成するための偏光モジュールと、
前記偏光データを提示するためのスクリーンと、
を備える、前記装置。
【請求項１０】
３Ｄビデオおよび補完的な３Ｄコンテンツを有するコンテンツを鑑賞するための装置であって、前記３Ｄビデオは、左側ビューおよび右側ビューを有し、前記補完的な３Ｄコンテンツは、左側ビューおよび右側ビューを有し、前記補完的な３Ｄコンテンツは、前記３Ｄビデオの少なくとも一部と時間的に関連付けられており、前記３Ｄビデオの前記左側ビューおよび前記右側ビューと前記補完的な３Ｄコンテンツの前記右側ビューとは、時間的に多重化され、偏光されて、ディスプレイ上に提示される偏光データが作成され、前記装置は、
前記偏光データに偏光を実行して、多重化データを作成するための偏光フィルタであって、前記多重化データは、前記３Ｄビデオの前記左側ビューおよび前記右側ビューと前記補完的な３Ｄコンテンツの前記左側ビューおよび前記右側ビューを搬送するタイムスロットを有する、前記偏光フィルタと、
前記多重化データのタイムスロットに同期するシャッタであって、前記タイムスロットは、視聴者が見ることを望む前記３Ｄビデオおよび前記補完的な３Ｄコンテンツの中のコンテンツに対応する、前記シャッタと、
を備える、前記装置。
【手続補正２】
【補正対象書類名】明細書
【補正対象項目名】００３７
【補正方法】変更
【補正の内容】
【００３７】
多くの実装が記述された。にもかかわらず、様々な修正がなされてもよいことを理解されたい。例えば、異なる実装の要素が、他の実装を創作するために、組み合わされ、補充され、修正され、または除去されてもよい。追加的に、当業者は、開示された構成およびプロセスは、他の構成およびプロセスに代替可能であり、結果として生じる実装は、開示された実装と、少なくとも実質的に同じ方法で、少なくとも実質的に同じ機能を実行して、少なくとも実質的に同じ結果を達成することを理解するだろう。したがって、これらの他の実装は、本発明の範囲内に入る。
（付記１）
３Ｄビデオおよび補完的な３Ｄコンテンツのコンテンツプレゼンテーションのための方法であって、
前記３Ｄビデオは、左側ビューおよび右側ビューを有し、前記補完的な３Ｄコンテンツは、左側ビューおよび右側ビューを有し、前記補完的な３Ｄコンテンツは、前記３Ｄビデオの少なくとも一部と時間的に関連付けられ、前記方法は、
前記３Ｄビデオの前記一部の前記左側ビューおよび前記右側ビューと前記補完的な３Ｄコンテンツの前記左側ビューおよび前記右側ビューとを時間的に多重化して、多重化データを作成する、多重化するステップと、
前記多重化データを偏光して、偏光データを作成するステップと、
前記偏光データを提示するステップと、
を含む、前記方法。
（付記２）
前記多重化するステップは、
前記３Ｄビデオの前記一部の前記左側ビューおよび前記補完的な３Ｄコンテンツの前記左側ビューを多重化して、左側ビューについての多重化データを作成するステップと、
前記３Ｄビデオの前記一部の前記右側ビューおよび前記補完的な３Ｄコンテンツの前記右側ビューを多重化して、右側ビューについての多重化データを作成するステップと、
をさらに含む、付記１に記載の方法。
（付記３）
左側ビューおよび右側ビューを有すると共に、前記３Ｄビデオの前記一部と時間的に関連付けられた第２の補完的な３Ｄコンテンツをさらに備え、前記多重化するステップは、
前記３Ｄビデオの前記一部の前記左側ビューと、前記補完的な３Ｄコンテンツの前記左側ビューと、前記第２の補完的な３Ｄコンテンツの前記左側ビューとを多重化して、左側ビューについての多重化データを作成するステップと、
前記３Ｄビデオの前記一部の前記右側ビューと、前記補完的な３Ｄコンテンツの前記右側ビューと、前記第２の補完的な３Ｄコンテンツの前記右側ビューとを多重化して、右側ビューについての多重化データを作成するステップと、
をさらに含む、付記１または２に記載の方法。
（付記４）
前記多重化するステップは、
前記３Ｄビデオの前記一部の前記左側ビューおよび前記３Ｄビデオの前記一部の前記右側ビューを多重化して、前記３Ｄビデオについての多重化データを作成するステップと、
前記補完的な３Ｄコンテンツの前記左側ビューおよび前記補完的な３Ｄコンテンツの前記右側ビューを多重化して、前記補完的な３Ｄコンテンツについての多重化データを作成するステップと、
をさらに含む、付記１に記載の方法。
（付記５）
前記補完的な３Ｄコンテンツは、全部の３Ｄビデオと時間的に関連付けられている、付記１から４のいずれかに記載の方法。
（付記６）
３Ｄビデオおよび補完的な３Ｄコンテンツを有するコンテンツを鑑賞するための方法であって、前記３Ｄビデオは、左側ビューおよび右側ビューを有し、前記補完的な３Ｄコンテンツは、左側ビューおよび右側ビューを有し、前記補完的な３Ｄコンテンツは、前記３Ｄビデオの少なくとも一部に時間的に関連付けられ、前記３Ｄビデオの前記左側ビューおよび前記右側ビューと前記補完的な３Ｄコンテンツの前記右側ビューとは、時間的に多重化され、偏光されて、前記ディスプレイ上に提示される偏光データが作成され、前記方法は、
前記偏光データに偏光を実行して、多重化データを作成するステップであって、前記多重化データは、前記３Ｄビデオの前記左側ビューおよび前記右側と前記補完的な３Ｄコンテンツの前記左側ビューおよび前記右側とを搬送するタイムスロットを含む、ステップと、
前記多重化データ上のタイムスロットに同期化するステップであって、前記タイムスロットは視聴者が見ることを望む前記３Ｄビデオおよび前記補完的な３Ｄコンテンツの中のコンテンツと対応する、ステップと
を含む、前記方法。
（付記７）
３Ｄビデオおよび補完的な３Ｄコンテンツのコンテンツプレゼンテーションのための装置であって、前記３Ｄビデオは、左側ビューおよび右側ビューを有し、前記補完的な３Ｄコンテンツは、左側ビューおよび右側ビューを有し、前記補完的な３Ｄコンテンツは、前記３Ｄビデオの少なくとも一部に時間的に関連付けられており、
前記３Ｄビデオの前記一部の前記左側ビューおよび前記右側ビューと前記補完的な３Ｄコンテンツの前記左側ビューおよび前記右側ビューとを時間的に多重化して、多重化データを作成するためのマルチプレクサモジュールと、
前記多重化データを偏光して偏光データを作成するための偏光モジュールと、
前記偏光データを提示するためのスクリーンと、
を備える、前記装置。
（付記８）
前記マルチプレクサモジュールは、前記３Ｄビデオの前記一部の前記左側ビューおよび前記補完的な３Ｄコンテンツの前記左側ビューを多重化して、左側ビューについての多重化データを作成し、前記３Ｄビデオの前記一部の前記右側ビューおよび前記補完的な３Ｄコンテンツの前記右側ビューを多重化して、右側ビューについての多重化データを作成するようさらに構成されている、付記７に記載の装置。
（付記９）
前記マルチプレクサモジュールは、前記３Ｄビデオの前記一部の前記左側ビューおよび前記３Ｄビデオの前記一部の前記右側ビューを多重化して、前記３Ｄビデオについての多重化データを作成し、前記補完的な３Ｄコンテンツの前記左側ビューおよび前記補完的な３Ｄコンテンツの前記右側ビューを多重化して、前記補完的な３Ｄコンテンツについての多重化データを作成するようさらに構成されている、付記７に記載の装置。
（付記１０）
３Ｄビデオおよび補完的な３Ｄコンテンツを有するコンテンツを鑑賞するための装置であって、前記３Ｄビデオは、左側ビューおよび右側ビューを有し、前記補完的な３Ｄコンテンツは、左側ビューおよび右側ビューを有し、前記補完的な３Ｄコンテンツは、前記３Ｄビデオの少なくとも一部と時間的に関連付けられており、前記３Ｄビデオの前記左側ビューおよび前記右側ビューと前記補完的な３Ｄコンテンツの前記右側ビューとは、時間的に多重化され、偏光されて、前記ディスプレイ上に提示される偏光データが作成され、前記装置は、
前記偏光データに偏光を実行して、多重化データを作成するための偏光フィルタであって、前記多重化データは、前記３Ｄビデオの前記左側ビューおよび前記右側と前記補完的な３Ｄコンテンツの前記左側ビューおよび前記右側を搬送するタイムスロットを有する、前記偏光フィルタと、
前記多重化データのタイムスロットに同期するシャッタであって、前記タイムスロットは、視聴者が見ることを望む前記３Ｄビデオおよび前記補完的な３Ｄコンテンツの中のコンテンツに対応する、前記シャッタと、
を備える、前記装置。
【国際調査報告】
2016506676.tif 000019
2016506676.tif 000020
2016506676.tif 000021